(57)【要約】【課題】  無線によるネットワーク経由によって受信した楽曲を再生するネットワークＡＶ装置において、ロッドアンテナ部の上端部分が筐体の上面より突出した状態のままでネットワークＡＶ装置をラックに収納しようとしてしまっても、ロッドアンテナ部が破損してしまうことを防止することができるネットワークＡＶ装置を提供する。【解決手段】  無線によるネットワーク経由によって受信した楽曲を再生するネットワークＡＶ装置において、ロッドアンテナ部を回動自在に保持するホルダー部と、前記ネットワークＡＶ装置の筐体に保持され前記ホルダー部を保持するホルダーベース部とを備え、前記ホルダー部及び前記ホルダーベース部は、前記ロッドアンテナ部の先端部分が前方に倒れる位置と前記ロッドアンテナ部の先端部分が上方に向いた位置との間を移動可能となるように可動する可動手段を備える。【選択図】      図１
2015104037.tif 000002
【特許請求の範囲】
【請求項１】
無線によるネットワーク経由によって受信した楽曲を再生するネットワークＡＶ装置において、
ロッドアンテナ部を回動自在に保持するホルダー部と、
前記ネットワークＡＶ装置の筐体に保持され前記ホルダー部を保持するホルダーベース部とを備え、
前記ホルダー部及び前記ホルダーベース部は、前記ロッドアンテナ部の先端部分が前方に倒れる位置と前記ロッドアンテナ部の先端部分が上方に向いた位置との間を移動可能となるように可動する可動手段を備えることを特徴とするネットワークＡＶ装置。
【請求項２】
請求項１記載のネットワークＡＶ装置において、
前記可動手段は、前記ホルダー部に備えた第１凸部及び第２凸部が前記ホルダーベース部に備えた円形の孔及び環状孔にそれぞれ挿入され、前記円形の孔４０４に挿入された前記第１凸部を軸として前記環状孔の内壁を前記第２凸部が円弧状に移動することによって前記ロッドアンテナ部の先端部分が前方に倒れる位置と前記ロッドアンテナ部の先端部分が上方に向いた位置との間を移動可能とすることを特徴とするネットワークＡＶ装置。
【請求項３】
請求項１記載のネットワークＡＶ装置において、
前記可動手段は、前記ホルダー部に備えた第１凸部及び第２凸部が前記ホルダーベース部に備えた２つの長孔にそれぞれ挿入され、前記第１凸部及び前記第２凸部がそれぞれ前記２つの長孔の内壁をスライドすることによって前記ロッドアンテナ部の先端部分が前方に倒れる位置と前記ロッドアンテナ部の先端部分が上方に向いた位置との間を移動可能とすることを特徴とするネットワークＡＶ装置。
【請求項４】
請求項１乃至請求項３のいずれか１に記載のネットワークＡＶ装置において、
前記ホルダー部は、前記ロッドアンテナ部の回転を抑制するガイドを備えることを特徴とするネットワークＡＶ装置。
【発明の詳細な説明】
【技術分野】
【０００１】
本発明は、無線によるネットワーク経由によって受信した楽曲を再生するネットワークＡＶ装置に関する。
【背景技術】
【０００２】
現在、ネットワークに接続したメディアサーバやＮＡＳ（Network Attached Storage）サーバ等のストレージサーバに蓄積されている楽曲をネットワーク経由で個々のパーソナルコンピュータやＡＶ機器に入力し再生するネットワークＡＶシステムが普及している（例えば、特許文献１参照）。このようなネットワークＡＶシステムにおいては、ネットワーク経由で入力した楽曲をＡＶレシーバによって再生するネットワークＡＶ装置が知られている。
【０００３】
従来のネットワークＡＶ装置においては、有線によって機器間のネットワーク通信を行うのではなく、無線ＬＡＮを経由してネットワーク通信を行うシステムが広く用いられており、無線ＬＡＮの電波を良好に送受信するためのロッドアンテナを備えた機器も広く知られている（例えば、特許文献２参照））。
【０００４】
図５は、従来のネットワークＡＶ装置を示す図で、図５（ａ）は、ロッドアンテナの先端を上方に向けた状態を示す後方斜視図、図５（ｂ）は、ロッドアンテナの先端を下方に収納した状態を示す後方斜視図である。
【０００５】
図５に示すように、従来のネットワークＡＶ装置１００は、筐体１１０、リアパネル１２０及びロッドアンテナ部２００を備え、筐体１１０の内部には、図示しない操作部、信号送受信部、信号処理部、記憶部、再生部及び制御部を備える。リアパネル１２０は、前後に貫通する孔１３０を備える。ロッドアンテナ部２００は、長細い円柱状の円柱部２１０と、当該円柱部２１０に対して垂直に延びた端子部２２０を備える。ロッドアンテナ部２００は、端子部２２０がリアパネル１２０の孔１３０に挿入され軸支された状態となることにより、リアパネル１２０の表面に対して水平に回動自在となった状態でリアパネル１２０に保持されている。
【０００６】
操作部（図示せず）は、ユーザからの指示に応じて指示信号を制御部に出力する。信号送受信部（図示せず）は、ロッドアンテナ部２００の端子部２２０と図示しない信号線によって接続し、制御部からの制御に応じて、ロッドアンテナ部２００が受信した他のネットワーク機器からの楽曲データを無線ＬＡＮによって受信する。記憶部（図示せず）は、信号送受信部が受信した楽曲データを記憶する。再生部（図示せず）は、記憶部に記憶された楽曲データを再生する。
【０００７】
ネットワークＡＶ装置１００は、例えば、ユーザによる操作部の操作によって他のネットワーク機器に記憶されている楽曲の再生が指示されると、信号送受信部がロッドアンテナ部２００及び信号線を介して他のネットワーク機器に記憶されている楽曲データを無線ＬＡＮによって受信すると共に信号送受信部が受信した楽曲データを記憶部に記憶し、当該記憶部に記憶された楽曲データを再生部が再生する。このことによって、ネットワークＡＶ装置１００は、他のネットワーク機器に記憶された楽曲データを再生する。
【０００８】
ネットワークＡＶ装置１００は、他のネットワーク機器から楽曲データを受信する場合、図５（ａ）に示すように、ロッドアンテナ部２００の円柱部２１０の先端が上方となるようにして円柱部２１０の先端が筐体１１０から上方に突出した状態とすることにより、他のネットワーク機器のからの楽曲データを良好に受信することができる。
【０００９】
また、ネットワークＡＶ装置１００は、他のネットワーク機器から楽曲データを受信する必要がない場合や、装置自体をラックマウントするためラックに収納する必要がある場合、図５（ａ）に示す状態から、端子部２２０が孔１３０に軸支されたロッドアンテナ部２００をリアパネル１２０の表面に対して水平に回動させ、図５（ｂ）に示すように円柱部２１０の先端が下方となるようにした状態とすることにより、円柱部２１０の先端が筐体１１０の上面から突出しない状態となり、このことによって、ネットワークＡＶ装置１００をラックに収納することができる。
【先行技術文献】
【特許文献】
【００１０】
【特許文献１】特開２００５−０３１４９４号公報
【特許文献２】特開２００７−２９５１０８号公報
【発明の概要】
【発明が解決しようとする課題】
【００１１】
図６は、従来のネットワークＡＶ装置１００を示す図で、図６（ａ）は、ロッドアンテナ部２００の円柱部２１０の先端が筐体１１０より上方に突出した状態のまま、ネットワークＡＶ装置１００をラックに収納しようとする場合を示す側面図、図６（ｂ）は、図６（ａ）の状態から更にネットワークＡＶ装置１００をラックの方向に移動させてネットワークＡＶ装置１をラック５に収納しようとした状態を示す側面図である。
【００１２】
図６（ａ）に示すように、例えば、載置部５０１の上面から天板部５０２の下面までの高さがネットワークＡＶ装置１００の高さより僅かに大きいラック５にネットワークＡＶ装置１００を収納しようとする場合、円柱部２１０の先端が上方を向いた状態だということを忘れてしまい、円柱部２１０の上端部分が筐体１１０の上面より突出した状態のまま、ラック５に収納しようとしてしまう場合がある。すると、図６（ｂ）に示すように、筐体１１０の上面より上方に突出した円柱部２１０の先端部分が、ラック５の天板部５０２の前方部分に当たってしまい、円柱部２１０の上端部分が前方に折れ曲がってしまったり、また、円柱部２１０が前方に倒れようとする力によって孔１３０に挿入された端子部２２０が破損してしまう。
【００１３】
本発明は、無線によるネットワーク経由によって受信した楽曲を再生するネットワークＡＶ装置において、ロッドアンテナ部の上端部分が筐体の上面より突出した状態のままでネットワークＡＶ装置をラックに収納しようとしてしまっても、ロッドアンテナ部が破損してしまうことを防止することができるネットワークＡＶ装置を提供することを目的とする。
【課題を解決するための手段】
【００１４】
本願の請求項１記載の発明は、無線によるネットワーク経由によって受信した楽曲を再生するネットワークＡＶ装置において、ロッドアンテナ部を回動自在に保持するホルダー部と、前記ネットワークＡＶ装置の筐体に保持され前記ホルダー部を保持するホルダーベース部とを備え、前記ホルダー部及び前記ホルダーベース部は、前記ロッドアンテナ部の先端部分が前方に倒れる位置と前記ロッドアンテナ部の先端部分が上方に向いた位置との間を移動可能となるように可動する可動手段を備えることを特徴とする。
【００１５】
本願の請求項２記載の発明は、請求項１記載のネットワークＡＶ装置において、前記可動手段は、前記ホルダー部に備えた第１凸部及び第２凸部が前記ホルダーベース部に備えた円形の孔及び環状孔にそれぞれ挿入され、前記円形の孔４０４に挿入された前記第１凸部を軸として前記環状孔の内壁を前記第２凸部が円弧状に移動することによって前記ロッドアンテナ部の先端部分が前方に倒れる位置と前記ロッドアンテナ部の先端部分が上方に向いた位置との間を移動可能とすることを特徴とする。
【００１６】
本願の請求項３記載の発明は、請求項１記載のネットワークＡＶ装置において、前記可動手段は、前記ホルダー部に備えた第１凸部及び第２凸部が前記ホルダーベース部に備えた２つの長孔にそれぞれ挿入され、前記第１凸部及び前記第２凸部がそれぞれ前記２つの長孔の内壁をスライドすることによって前記ロッドアンテナ部の先端部分が前方に倒れる位置と前記ロッドアンテナ部の先端部分が上方に向いた位置との間を移動可能とすることを特徴とする。
【００１７】
本願の請求項４記載の発明は、請求項１乃至請求項３のいずれか１に記載のネットワークＡＶ装置において、前記ホルダー部は、前記ロッドアンテナ部の回転を抑制するガイドを備えることを特徴とする。
【発明の効果】
【００１８】
本発明によれば、無線によるネットワーク経由によって受信した楽曲を再生するネットワークＡＶ装置において、ロッドアンテナ部の上端部分が筐体の上面より突出した状態のままでネットワークＡＶ装置をラックに収納しようとしてしまっても、ロッドアンテナ部が破損してしまうことを防止することができるネットワークＡＶ装置を提供することができる。
【図面の簡単な説明】
【００１９】
【図１】本発明の一実施例であるネットワークＡＶ装置の構成を示す後方斜視図。
【図２】本実施例のネットワークＡＶ装置１の構成を示す図で、図２（ａ）は、ロッドアンテナ部２の上端を上方に向けた状態を示す後方斜視図、図２（ｂ）は、図２（ａ）の側面図。
【図３】本実施例のネットワークＡＶ装置１の構成を示す図で、図３（ａ）は、ロッドアンテナ部２の上端を下方に向けた状態を示す後方斜視図、図３（ｂ）は、図３（ａ）の側面図。
【図４】本実施例のネットワークＡＶ装置１をラックに収納しようとする状態を示す断面図で、図４（ａ）は、ロッドアンテナ部２の円柱部２０１の先端を上方に向け筐体１０１の上面より突出した状態のまま、ネットワークＡＶ装置１をラックに収納しようとする場合を示す図、図４（ｂ）は、図４（ａ）の状態からネットワークＡＶ装置１をラックに収納した状態を示す図。
【図５】ロッドアンテナを備えた従来のネットワークＡＶ装置を示す図で、図５（ａ）は、ロッドアンテナの先端を上方に向けた状態を示す後方斜視図、図５（ｂ）は、ロッドアンテナの先端を下方に収納した状態を示す後方斜視図。
【図６】従来のネットワークＡＶ装置１００を示す図で、図６（ａ）は、ロッドアンテナ部２００の円柱部２１０の先端が筐体１１０より上方に突出した状態のまま、ネットワークＡＶ装置１００をラックに収納しようとする場合を示す側面図、図６（ｂ）は、図６（ａ）の状態から更にネットワークＡＶ装置１００をラックの方向に移動させてネットワークＡＶ装置１をラック５に収納しようとした状態を示す側面図。
【発明を実施するための形態】
【００２０】
本発明の実施の形態を図面を参照して説明する。
【００２１】
図１は、本発明の一実施例であるネットワークＡＶ装置の構成を示す後方斜視図である。
図１においては、左上方向をネットワークＡＶ装置の前方とし、右下方向をネットワークＡＶ装置の後方として説明する。
【００２２】
図１に示すように、ネットワークＡＶ装置１は、筐体１０１、リアパネル１０２、ロッドアンテナ部２、ホルダー部３及びホルダーベース部４を備え、筐体１０１の内部には、図示しない操作部、信号送受信部、信号処理部、記憶部、再生部及び制御部を備える。
【００２３】
リアパネル１０２は、長方形を形成し前後に貫通する孔１０３を備え、孔１０３の上辺及び下辺にはそれぞれ筐体１０１の内側に向かって折り曲げられた折り曲げ部１０４を備える。ホルダーベース部４は、プラスチック部材等の樹脂部材から成り、前後に貫通する開口部４０２を備え、左右の側面にそれぞれ板状部４０３を備える長方体を形成し、前方部分の上方及び下方に、それぞれ前方に突出したツメ部４０１を備える。左右の板状部４０３は、それぞれ水平方向に貫通した丸孔を形成した孔４０４を備えると共に、孔４０４から略垂直に下方となる位置から孔４０４と水平となる位置までの間に孔４０４を中心とした円弧の環状を形成し左右方向に貫通する環状孔４０５を備える。
【００２４】
ホルダー部３は、プラスチック部材等の樹脂部材から成り、直方体を形成し、前後に貫通する孔３０１を備え、孔３０１の後方の外縁部分には、半円形を形成して後方に突出するガイド３０２を備える。ホルダー部３は、左右の側面にそれぞれ外側方向に突出する第１凸部３０３を備え、また、それぞれの第１凸部３０３の下方となる位置にそれぞれ外側方向に突出する第２凸部３０４を備える。ロッドアンテナ部２は、長細い円柱状の円柱部２０１と、円柱部２０１に対して前方に垂直に延びた端子部２０２を備える。
【００２５】
ホルダーベース部４の上辺及び下辺に備えるツメ部４０１の幅は、リアパネル１０２の孔１０３の上辺及び下辺に備える折り曲げ部１０４の幅よりも僅かに小さい。ホルダー部３の幅は、ホルダーベース部４の左右の板状部４０３の内壁の幅よりも僅かに小さい。ホルダー部３の孔３０１の内径は、ロッドアンテナ部２の端子部２０２の外径よりも僅かに大きい。ホルダー部３の第１凸部３０３の中心から第２凸部３０４の中心までの距離は、ホルダーベース部４の孔４０４の中心から環状孔４０５の中央円弧までの距離と略同一とする。また、ホルダー部３の第１凸部３０３の外径は、ホルダーベース部４の孔４０４の内径より僅かに小さく、また、ホルダー部３の第２凸部３０４の外径は、ホルダーベース部４の環状孔４０５の内壁の幅より僅かに小さい。
【００２６】
図２は、本実施例のネットワークＡＶ装置１の構成を示す図で、図２（ａ）は、ロッドアンテナ部２の上端を上方に向けた状態を示す後方斜視図、図２（ｂ）は、図２（ａ）の側面図である。
図２（ａ）においては、左上方向をネットワークＡＶ装置１の前方とし、右下方向をネットワークＡＶ装置の後方として説明する。また、図２（ｂ）においては、上方向をネットワークＡＶ装置１の上方とし、右方向をネットワークＡＶ装置１の後方とする。
【００２７】
ホルダーベース部４は、図２（ａ）及び（ｂ）に示すように、前方部分をリアパネル１０２の孔１０３に押し込むことによって、前方に備える上方及び下方のツメ部４０１がリアパネル１０２の孔１０３の上辺及び下辺に備える折り曲げ部１０４に当接して内側に弾性変形し、更にホルダーベース部４を押し込むことによって、上方及び下方のツメ部４０１が内側に弾性変形し、孔１０３の上辺及び下辺に備える折り曲げ部１０４の前端部分より前方に移動した位置でそれぞれ外側に広がることによって、リアパネル１０２に保持される。ホルダー部３は、ホルダーベース部４の開口部４０２に押し込むことによって、左右の板状部４０３がそれぞれ外側に弾性変形し、図２（ａ）及び（ｂ）に示すように、左右側面に備える第１凸部３０３がホルダーベース部４の孔４０４に挿入し、また、第２凸部３０４が環状孔４０５に挿入した状態で、それまで弾性変形していた板状部４０３が元の内側の位置に戻った状態でホルダーベース部４に保持される。
【００２８】
ロッドアンテナ部２は、図２（ａ）及び（ｂ）に示すように、端子部２０２をホルダー部３の孔３０１に挿入することによってホルダー部３に保持される。ロッドアンテナ部２は、端子部２０２がホルダー部３の孔３０１に挿入され軸支された状態でホルダー部３に保持され、また、ロッドアンテナ部２は、孔３０１の中央の高さから上下に亘った円柱部２０１の根元部分の外側に近接した箇所がガイド３０２によって覆われることにより、リアパネル１０２の表面に対して水平方向且つ後方から見てリアパネル１０２の内側方向に回動自在となった状態でホルダー部３に保持される。
【００２９】
本実施例においては、図２（ｂ）に示すように、ロッドアンテナ部２の上端が上方に向いた状態でロッドアンテナ部２がホルダー部３に保持された状態の場合、ホルダー部３の第２凸部３０４がホルダーベース部４の環状孔４０５の下端部分の位置に配設されているものとする。
【００３０】
ロッドアンテナ部２の端子部２０２は、ホルダー部３のガイド３０２、ホルダーベース部４の開口部４０２及びリアパネル１０２の孔１０３を介して筐体１０１の内部に備える信号送受信部（図示せず）と信号線（図示せず）によって電気的に接続されている。操作部（図示せず）は、ユーザからの指示に応じて指示信号を制御部に出力する。信号送受信部（図示せず）は、制御部からの制御に応じて、ロッドアンテナ部２と接続した信号線（図示せず）を介して、ロッドアンテナ部２が受信した他のネットワーク機器からの楽曲データを無線ＬＡＮによって受信する。記憶部（図示せず）は、信号送受信部が受信した楽曲データを記憶する。再生部（図示せず）は、記憶部に記憶された楽曲データを再生する。
【００３１】
ネットワークＡＶ装置１は、例えば、ユーザによる操作部の操作によって他のネットワーク機器に記憶されている楽曲の再生が指示されると、信号送受信部がロッドアンテナ部２及び信号線を介して他のネットワーク機器に記憶されている楽曲データを無線ＬＡＮによって受信すると共に、信号送受信部が受信した楽曲データを記憶部に記憶し、当該記憶部に記憶された楽曲データを再生部が再生する。このことによって、ネットワークＡＶ装置１は、他のネットワーク機器に記憶された楽曲データを再生する。
【００３２】
ネットワークＡＶ装置１は、他のネットワーク機器から楽曲データを受信する場合、図２（ａ）及び（ｂ）に示すように、ロッドアンテナ部２の円柱部２０１の先端が上方となるようにして円柱部２０１の先端が筐体１０１から上方に突出した状態とすることにより、他のネットワーク機器のからの電波による楽曲データを良好に受信することができる。
【００３３】
本実施例のネットワークＡＶ装置１は、ホルダー部３にガイド３０２を備え、ロッドアンテナ部２がリアパネル１０２の表面に対して水平方向且つ後方から見てリアパネル１０２の内側方向にのみ回動するようロッドアンテナ部２の回転を抑制する構成としたことにより、例えば、ロッドアンテナ部２がリアパネル１０２の表面に対して３６０度以上回転してしまい、端子部２０２と信号送受信部（図示せず）との間を接続する信号線（図示せず）がロッドアンテナ部２の回転によって捩れてしまい、断線してしまうことを防止することができる。
【００３４】
図３は、本実施例のネットワークＡＶ装置１の構成を示す図で、図３（ａ）は、ロッドアンテナ部２の上端を下方に向けた状態を示す後方斜視図、図３（ｂ）は、図３（ａ）の側面図である。
図３（ａ）においては、左上方向をネットワークＡＶ装置１の前方とし、右下方向をネットワークＡＶ装置の後方として説明する。また、図３（ｂ）においては、上方向をネットワークＡＶ装置１の上方とし、右方向をネットワークＡＶ装置１の後方とする。
【００３５】
ネットワークＡＶ装置１は、他のネットワーク機器から楽曲データを受信する必要がない場合や、装置自体をラックマウントするためラックに収納する必要がある場合、図２（ａ）及び（ｂ）に示す状態から端子部２０２がホルダー部３の孔３０１に軸支されたロッドアンテナ部２をリアパネル１０２の表面に対して水平且つ後方から見て内側に時計回りに回動させ、図３（ａ）及び（ｂ）に示すように円柱部２０１の先端が下方となるようにした状態とすることにより、円柱部２０１の先端が筐体１０１の上面から突出しない状態となり、このことによって、ネットワークＡＶ装置１をラックに収納することができる。
【００３６】
図３（ａ）及び（ｂ）に示すように、ロッドアンテナ部２の上端が下方に向いた状態から、ロッドアンテナ部２の上端を上方に向ける場合は、端子部２０２がホルダー部３の孔３０１に軸支されたロッドアンテナ部２をリアパネル１０２の表面に対して水平方向且つリアパネル１０２を後方から見て内側方向に反時計回りに回動させ、図２（ａ）及び（ｂ）に示すように円柱部２０１の先端が上方となるようにした状態とすることにより、円柱部２０１の先端が筐体１０１の上面から上方に突出させることができる。このように、本実施例のネットワークＡＶ装置１は、ロッドアンテナ部２をリアパネル１０２の表面に対して水平方向且つリアパネル１０２の内側方向に回動させることによって、ロッドアンテナ部２の円柱部２０１の先端を上方に向けて筐体１０１の上面から突出させた位置にしたり、また、円柱部２０１の先端を下方に向けて筐体１０１の上面から突出しない位置にすることができる。
【００３７】
図４は、本実施例のネットワークＡＶ装置１をラックに収納しようとする状態を示す断面図で、図４（ａ）は、ロッドアンテナ部２の円柱部２０１の先端を上方に向け筐体１０１の上面より突出した状態のまま、ネットワークＡＶ装置１をラックに収納しようとする場合を示す図、図４（ｂ）は、図４（ａ）の状態からネットワークＡＶ装置１をラックに収納した状態を示す図である。
図４（ａ）及び（ｂ）においては、上方向をネットワークＡＶ装置１の上方とし、右方向をネットワークＡＶ装置１の後方とする。
【００３８】
図４（ａ）に示すように、例えば、載置部５０１の上面から天板部５０２の下面までの高さがネットワークＡＶ装置１の高さより僅かに大きいラック５にネットワークＡＶ装置１を収納しようとする場合、円柱部２０１の先端が上方を向いた状態だということを忘れてしまい、円柱部２０１の上端部分が筐体１０１の上面より突出した状態のままでラック５に収納しようとしてしまう場合がある。この場合、ネットワークＡＶ装置１をラック５に収納しようとラック５の方向にネットワークＡＶ装置１を移動させていくと、筐体１０１の上面より上方に突出した円柱部２０１の先端部分が、ラック５の天板部５０２の前方部分に当接し、更に、ラック５の天板部５０２の先端が円柱部２０１を前方に押し倒そうとする力が生じる。このとき、ホルダー部３は、孔３０１に保持された円柱部２０１が前方に回転しようとする力によって、ホルダーベース部４の孔４０４に軸支された第１凸部３０３を軸として、第２凸部３０４がホルダーベース部４の環状孔４０５の下端部分の位置から後端部分の位置まで環状孔４０５の内壁をスライド移動し、このことによって、ホルダー部３が第１凸部３０３を中心に上方部分が前方に回転する。このため、図４（ｂ）に示すように、ロッドアンテナ部２は、ホルダー部３が第１凸部３０３を軸として前方に回転することにより、ホルダー部３の孔３０１に保持されたロッドアンテナ部２も前方に回転し、ロッドアンテナ部２が筐体１０１の上面に対して前方に倒れた状態となる。
【００３９】
そして、例えば、図４（ｂ）に示すように、ロッドアンテナ部２が筐体１０１の上面に対して前方に倒れた状態でラック５に収納されたネットワークＡＶ装置１を、ラック５の外に取り出した場合は、筐体１０１の上面に対して前方に倒れたロッドアンテナ部２の円柱部２０１を把持して上方かつ後方に起き上がらせる力を加えることによって、ホルダー部３がホルダーベース部４の孔４０４に軸支された第１凸部３０３を軸として、第２凸部３０４がホルダーベース部４の環状孔４０５の後端部分の位置から下端部分の位置まで環状孔４０５の内壁をスライド移動し、このことによって、ホルダー部３の孔３０１に保持されたロッドアンテナ部２も起き上がりながら後方に回転し、図４（ａ）に示すように、ロッドアンテナ部２の円柱部２０１が上方を向いて筐体１０１の上面から突出した状態に戻すことができる。
【００４０】
以上のように、本実施例のネットワークＡＶ装置１は、例えば、円柱部２０１の先端が上方を向いたままの状態だということを忘れて、円柱部２０１の上端部分が筐体１０１の上面より突出した状態のままでラック５に収納しようとした場合でも、ラック５の天板部５０２の先端が円柱部２０１を前方に押し倒そうとする力によって、ロッドアンテナ部２が筐体１０１の上面に対して前方に倒れるので、筐体１０１の上面より上方に突出した円柱部２０１の先端部分をラック５の天板部５０２の前方部分が前方に押し倒そうとする力によって円柱部２０１の上端部分が前方に折れ曲がってしまったり、また、円柱部２０１が前方に倒れようとする力によってロッドアンテナ部２の端子部２０２が破損してしまうことを防止することができる。
【００４１】
本実施例のネットワークＡＶ装置１は、ホルダーベース部４の左右に備えるそれぞれの板状部４０３に孔４０４及び環状孔４０５を備え、また、ホルダー部３の左右に備える第１凸部３０３及び第２凸部３０４を備え、ホルダーベース部４の孔４０４に軸支された第１凸部３０３を軸として第２凸部３０４がホルダーベース部４の環状孔４０５の下端部分の位置と後端部分の位置まで環状孔４０５の内壁をスライド移動することによって、ホルダー部３が第１凸部３０３を軸として回転し、このことによってホルダー部３に保持されたロッドアンテナ部２が前方に倒れる構成としたが、例えば、ホルダーベース部４の孔４０４を、前方から後方に亘って上方に傾斜した長孔に代替えし、また、ホルダーベース部４の環状孔４０５を、前方から後方に亘って水平に延びる長孔に代替えし、これらそれぞれの長孔の内壁に、ホルダー部３の第１凸部３０３及び第２凸部３０４が挿入されるように第１凸部３０３及び第２凸部３０４を配設し、第１凸部３０３及び第２凸部３０４がそれぞれ前述した長孔の内壁をスライド移動することによって、ホルダー部３がホルダーベース部４に対して回転するスライドカムの構成としても良い。このことにより、ホルダーベース部４に対してホルダー部３が回転移動する際の移動範囲をコンパクトにすることができ、また、ホルダーベース部４及びホルダー部３を小型化することができるので、ホルダー部３及びホルダーベース部４の製造コストと低減させることができる。
【００４２】
本実施例のネットワークＡＶ装置１は、ホルダーベース部４にツメ部４０１を備え、このツメ部４０１をリアパネル１０２の折り曲げ部１０４に保持することによってホルダーベース部４をリアパネル１０２に保持する構成としたが、締結ネジによってホルダーベース部４をリアパネル１０２に固定する構成としても良いし、また、接着剤などによってホルダーベース部４をリアパネル１０２に固着させる構成としても良い。
【００４３】
本実施例のネットワークＡＶ装置１は、ホルダー部３にガイド３０２を備える構成としたが、ガイド３０２以外にリブや切り欠きなどによってロッドアンテナ部２が３６０度以上回転しないような構成としても良いし、ロッドアンテナ部２が自在に回転しても構わない場合は、ガイド３０２などを備えない構成としても良い。
【００４４】
本実施例のネットワークＡＶ装置１は、ロッドアンテナ部２及びホルダー部３を保持したホルダーベース部４をリアパネル１０２に保持する構成としたが、リアパネル１０２以外にも、例えば、筐体１０１の図示しない前面パネル、左右いずれかの側面、上面等に保持する構成としても良いし、複数の箇所に保持する構成としても良い。
【００４５】
本実施例のネットワークＡＶ装置１は、筐体１０１の内部に信号送受信部、記憶部及び再生部等を備え、無線ＬＡＮによってロッドアンテナ部２で受信した他のネットワーク機器に記憶された楽曲データを再生する構成としたが、データを送信または受信することができる構成であれば、無線ＬＡＮ以外の他の通信手段を用いても良いし、また、記憶部や再生部を備えないで、他の機器から受信したデータをその他の機器に送信する装置の構成としても良い。
【産業上の利用可能性】
【００４６】
本発明は、無線によるネットワーク経由によって受信した楽曲を再生するネットワークＡＶ装置に有用に用いることができる。
【符号の説明】
【００４７】
１  ネットワークＡＶ装置、１０１  筐体、１０２  リアパネル、１０３  孔、
１０４  折り曲げ部、
２  ロッドアンテナ部、２０１  円柱部、２０２  端子部、
３  ホルダー部、３０１  孔、３０２  ガイド、３０３  第１凸部、３０４  第２凸部、
４  ホルダーベース部、４０１  ツメ部、４０２  開口部、４０３  板状部、
４０４  孔、４０５  環状孔、
５  ラック、５０１  載置部、５０２  天板部、
１００  ネットワークＡＶ装置、１１０  筐体、１２０  リアパネル、
１３０  孔、
２００  ロッドアンテナ部、２１０  円柱部、２２０  端子部
【図１】
2015104037.tif 000003
【図２】
2015104037.tif 000004
【図３】
2015104037.tif 000005
【図４】
2015104037.tif 000006
【図５】
2015104037.tif 000007
【図６】
2015104037.tif 000008